(57)【要約】      （修正有）【課題】ユーザーの関心を高めるとともに、安心感を持って選ばれる玩具および玩具セットを提供する。【解決手段】複数のピース２を組み合わせて用いられる玩具１であって、複数のピース２は、各々パステルカラーを有するとともに、籾殻成分を含むよう構成される。ピース２は、互いに組み合わせることが可能な平面視略扇形のピース２ａが組み合わされて、略円形状の玩具１が形成される。【選択図】図１
0003235390.tif 000002
【実用新案登録請求の範囲】
【請求項１】
複数のピースを組み合わせて用いられる玩具であって、
前記ピースは、各々パステルカラーを有するとともに、籾殻成分を含む玩具。
【請求項２】
前記ピースは、角部が外側にＲ形状である請求項１に記載の玩具。
【請求項３】
前記ピースは、
中空構造を有する複数の枠体を係合させて構成され、
複数の前記枠体は、
内周に磁石を備える請求項１又は２に記載の玩具。
【請求項４】
立方体状に構成される前記ピースにおいて、
隣り合う面における前記磁石は、外方向に配置される極が互いに異なるよう配設される請求項３に記載の玩具。
【請求項５】
前記磁石は、複数の前記枠体に挟持されることを特徴とする請求項３又は４に記載の玩具。
【請求項６】
前記ピースは、
ギヤ比の異なる歯車状に構成され、
回動自在に係止可能であるとともに、複数のギヤ比の異なる歯車状の前記ピースを&#22169;み合わせ可能に構成される請求項１乃至３のいずれかに記載の玩具。
【請求項７】
ギヤ比の異なる歯車状に構成される前記ピースは、
互いに所定角度にて噛み合わせ可能に構成される請求項６に記載の玩具。
【請求項８】
前記ピースは、
前記歯車状に構成されるピースを回動自在に係止可能な平板状に構成され、
互いに係合可能な突出部、
を備え、
前記突出部は、側面が底面に対して略鉛直に構成される請求項６又は７に記載の玩具。
【請求項９】
請求項１乃至８のいずれかに記載される玩具と、
前記玩具を収納可能な収納ケースと、
を備える玩具セットであって、
前記収納ケースは、
前記玩具を所定の配列により収納する本体部と、
前記本体部を閉塞する蓋部と、
を備え、
前記本体部は、前記玩具の配置位置を示唆する指標を備える玩具セット。
【請求項１０】
前記本体部は、前記指標として前記ピースの色彩に対応する色彩を表示させる請求項９に記載の玩具セット。
【請求項１１】
前記本体部は、
平面視矩形状の底部と、
前記底部の端部から立ち上がる周壁と、
をさらに備え、
前記底部は、前記指標を備える請求項９又は１０に記載の玩具セット。
【請求項１２】
前記周壁は、前記指標を備える請求項１１に記載の玩具セット。
【請求項１３】
前記蓋部は、
一端が前記底部に当接し、
他端に前記本体部に係止可能な係止部をさらに備え、
前記係止部は、磁石により構成される請求項１１又は１２に記載の玩具セット。
【考案の詳細な説明】
【技術分野】
【０００１】
本考案は、玩具および玩具セットに関する。
【背景技術】
【０００２】
従来、直方体ピースの複数の面において、互いに異なる色で着色されるブロック玩具が提供されている（例えば、特許文献１）。
【先行技術文献】
【特許文献】
【０００３】
【特許文献１】実用新案登録第３２２８６３６号公報
【考案の概要】
【考案が解決しようとする課題】
【０００４】
上記特許文献１において開示されるブロック玩具によると、ユーザーの関心を高めることが可能となる。しかしながら、ユーザーに対して安心感を与えるような色彩を付すことによりユーザーの購買意欲を刺激するという点において、上記特許文献１における玩具はさらなる改良の余地がある。
【０００５】
そこで、本考案は、上記従来の問題点を解決するべく、ユーザーの関心を高めるとともに、安心感を持って選ばれる玩具および玩具セットを提供することを目的とする。
【課題を解決するための手段】
【０００６】
上記目的を達成するため、本考案は、複数のピースを組み合わせて用いられる玩具であって、前記ピースは、各々パステルカラーを有するとともに、籾殻成分を含むよう構成される。
【考案の効果】
【０００７】
本考案によると、ユーザーの関心を惹きつけるとともに、素材に基づく安心感を持って選択される玩具を提供することが可能である。
【図面の簡単な説明】
【０００８】
【図１】本考案の第１実施形態における玩具の構成の一例を示す図である。
【図２】本考案の第１実施形態における玩具を構成するピースの構成の一例を示す図である。
【図３】本考案の第１実施形態における玩具を構成するピースの構成の一例を示す図である。
【図４】本考案の第１実施形態における玩具を構成するピースの構成の一例を示す図である。
【図５】本考案の第１実施形態における玩具を構成するピースの構成の一例を示す図である。
【図６】本考案の第１実施形態における玩具を構成するピースの構成の一例を示す図である。
【図７】本考案の第１実施形態における玩具を構成するピースの構成の一例を示す図である。
【図８】本考案の第１実施形態における玩具を構成するピースの構成の一例を示す図である。
【図９】本考案の第１実施形態における玩具を構成するピースの構成の一例を示す図である。
【図１０】本考案の第１実施形態における玩具の構成の一例を示す図である。
【図１１】本考案の第１実施形態における玩具の構成の一例を示す図である。
【図１２】本考案の第１実施形態における玩具を構成するピースの構成の一例を示す図である。
【図１３】本考案の第１実施形態における玩具を構成するピースの構成の一例を示す図である。
【図１４】本考案の第２実施形態における玩具セットの構成の一例を示す図である。
【図１５】本考案の第２実施形態における玩具セットを構成する収容ケースの構成の一例を示す図である。
【図１６】本考案の第２実施形態における玩具セットを構成する収容ケースの構成の一例を示す図である。
【考案を実施するための形態】
【０００９】
本考案者は、玩具について鋭意検討した結果、以下の知見を有するに至った。
【００１０】
本考案の一態様である玩具は、複数のピースを組み合わせて用いられる玩具であって、前記ピースは、各々パステルカラーのインキを含むとともに、籾殻成分を含む玩具である。
【００１１】
このような構成により、穏やかな外観を演出することが可能であるとともに、特徴ある手触り感をユーザーに与えることができる。
【００１２】
本考案の一態様である玩具において、前記ピースは、角部が外方に湾曲して構成されてもよい。本考案の一態様である玩具において、前記ピースは、角部が外側にＲ形状であってもよい。
【００１３】
このような構成により、穏やかな印象の外観を創出することができる。
【００１４】
本考案の一態様である玩具において、前記ピースは、中空構造を有する複数の枠体を係合させて構成され、複数の前記枠体は、内側に磁石を備えてもよい。
【００１５】
このような構成により、複数のピースを磁力で結合させることが可能となる。
【００１６】
本考案の一態様である玩具は、立方体状に構成される前記ピースにおいて、隣り合う面における前記磁石は、表面側に配置される極が互いに異なるよう配設されてもよい。
【００１７】
このような構成により、複数のピースを三次元方向に結合させることが可能となる。
【００１８】
本考案の一態様である玩具において、前記磁石は、複数の前記枠体に挟持されることを特徴としてもよい。
【００１９】
このような構成により、磁石が枠体内において配置位置から脱落するのを抑制可能となる。
【００２０】
本考案の一態様である玩具において、複数の前記枠体は、中空部において前記磁石を挟持する挟持部をさらに備え、前記挟持部は、複数の前記枠体が組み合わされる場合に形成されてもよい。
【００２１】
このような構成により、磁石を挟持した枠体を組み合わせてピースを構成する際に、磁石が安定的にピースの中空部に配設され、脱落するのを良好に抑制される。
【００２２】
本考案の一態様である玩具において、前記磁石は、前記ピースに形成される表面の略中央に配置されてもよい。
【００２３】
このような構成により、磁場の形成される領域に偏頗が生じるのを抑制できる。
【００２４】
本考案の一態様である玩具において、前記ピースは、ギヤ比の異なる歯車状に構成され、回動可能に係止可能であるとともに、複数のギヤ比の異なる歯車状の前記ピースを&#22169;み合わせ可能に構成されてもよい。
【００２５】
このような構成により、歯車の回転動作の仕組みを示すことが可能となる。
【００２６】
本考案の一態様である玩具において、ギヤ比の異なる歯車状に構成される前記ピースは、互いに所定角度にて噛み合わせ可能に構成されてもよい。
【００２７】
このような構成により、立体的に歯車の回転動作を示すことが可能となる。
【００２８】
本考案の一態様である玩具において、互いに噛み合わせ可能なボード状に構成されるピースは、外方に突出するとともに、ボード状の他の前記ピースと係合可能な突出部をさらに備え、前記突出部は、他のピースの突出部との当接面の角部が略直角に構成されてもよい。或いは、前記突出部は、側面が底面に対して略鉛直に構成されてもよい。
【００２９】
このような構成により、ボード状のピース同士が係合する際に、係合部における当接面積を最大化し、摩擦力を向上させることが可能となる。
【００３０】
本考案の一態様である玩具において、歯車状に構成される前記ピースは、平面から立ち上がる保持部をさらに備え、前記保持部は、前記平面上に他の前記ピースを載置可能な領域を区切るよう構成されてもよい。
【００３１】
このような構成により、平面上にピースを載置して歯車を回転させることが可能となる。
【００３２】
本考案の一態様である玩具セットは、前記玩具と、前記玩具を収納可能な収納ケースとを備える玩具セットであって、前記収納ケースは、前記玩具を所定の配列により収納する本体部と、前記収納部を閉塞する蓋部とを備えてもよい。
【００３３】
このような構成により、玩具を収納した状態で移動可能となる。
【００３４】
本考案の一態様である玩具セットにおいて、前記本体部は、底部と、前記底部の端部から立ち上がる周壁とを備え、前記底部に、前記玩具の配置位置を示す指標を備えてもよい。
【００３５】
このような構成により、収納ケース内に効率的に玩具を収納可能となる。
【００３６】
本考案の一態様である玩具セットにおいて、前記本体部は、前記周壁の内周に、前記指標を備えてもよい。
【００３７】
このような構成により、収納ケース内に効率的に玩具を収納可能となる。
【００３８】
本考案の一態様である玩具セットにおいて、前記収納ケースは、前記本体部内に配置される袋部をさらに備えてもよい。
【００３９】
このような構成により、袋部内に部品等を収容でき、部品等の散逸を抑制可能となる。
【００４０】
本考案の一態様である玩具セットにおいて、前記本体部は、前記指標として前記ピースの色彩に対応する色彩を表示させてもよい。
【００４１】
このような構成により、ピースの配置位置が容易に識別可能となる。
【００４２】
本考案の一態様である玩具セットにおいて、前記蓋部は、少なくとも前記周壁のうち対向する２つの周壁の外側を被覆するとともに、前記本体部の開口部を閉塞してもよい。
【００４３】
本考案の一態様である玩具セットにおいて、前記収納ケースは、書籍を模した外観を有してもよい。
【００４４】
このような構成により、ユーザーの関心を惹きつけることができる。
【００４５】
本考案の一態様である玩具セットにおいて、前記蓋部は、一端が前記底部に当接し、他端に係止部を備えてもよい。
【００４６】
このような構成により、蓋部により本体部を閉塞した状態を良好に維持することが可能となる。
【００４７】
本考案の一態様である玩具セットを構成する収容ケースにおいて、前記係止部は、磁石により構成されてもよい。
【００４８】
このような構成により、閉塞状態を安定的に維持可能であるとともに、蓋部と本体部との着脱を効率的に行うことが可能となる。
【００４９】
本考案の一態様である玩具セットを構成する収容ケースにおいて、前記蓋部は、少なくとも一部が木材により構成されてもよい。
【００５０】
このような構成により、玩具セットの外観および手触りにおいて重厚感が醸し出される。
【００５１】
（第１実施形態）
以下、本考案の第１実施形態の一例を、図面に基づいて詳細に説明する。なお、同一の構成部材に対しては同一の符号を付し、これに関する重複する説明は省略する。
【００５２】
図１は、本実施形態における玩具１の構成の一例を示す図である。玩具１は、複数のピース２を組み合わせて用いられる玩具である。殊に、玩具１は、知育玩具であってもよい。
【００５３】
玩具１を構成するピース２は、互いに組み合わせることが可能に構成される。図１に示される例において、平面視略扇形状のピース２ａ（２）が組み合わされて、略円形状の玩具１が構成される。
【００５４】
ピース２は種々の形状に構成可能であり、柱状、球状など所望の形状に構成可能である。また、ピース２は、一例として、平面視円形状、楕円形状、矩形状、三角形状、多角形状など所望の形状に構成可能である。図１に示される例において、ピース２ａ（２）は、平面視扇形状に構成される。複数のピース２ａ（２）の端部を合わせることにより、平面視円形状の玩具１が構成される。
【００５５】
図１に示される例において、ピース２ａ（２）は水平方向に並べられて玩具１を構成する。これとは異なり、ピース２ａ（２）を垂直方向に積み上げられて玩具１が構成されてもよい。
【００５６】
ピース２は、パステルカラーを有してもよい。一例として、ピース２は、ポリプロピレンなど樹脂に着色剤を含有させて構成される。第１実施形態において、パステルカラーとは、色調が柔らかく、明るく澄んだ中間色を指す。或いは、パステルカラーとは、清色に白を基調とするトーンをいう。
【００５７】
ピース２は、パステルカラーに発色可能な着色剤を含有してもよい。着色剤は、４％から２０％の範囲内で含有されてもよい。着色剤は、１２色の異なる色彩を有するものが用いられてもよい。
【００５８】
好ましくは、着色剤は、６％から１０％の範囲内で含有されてもよい。着色剤は、８色の異なる色彩のものが用いられてもよい。さらに、着色剤は、蓄光成分を有する着色剤が用いられてもよい。或いは、着色剤として蛍光塗料が用いられてもよい。
【００５９】
着色剤には、公知の金属成分・樹脂成分などを含んでもよい。着色剤には、適宜顔料および染料を含有してもよい。
【００６０】
上述のように、パステルカラーを表示させることにより、玩具１は、ユーザーに安心感を与え、関心を引き付けることが可能となる。
【００６１】
ピース２は、籾殻成分を含む。籾殻は、米、麦、稗、粟などいかなる穀物の籾殻も適用可能である。一例として、ピース２は、籾殻を４０％から６０％程度含有してもよい。好ましくは、ピース２は、籾殻を４７％から５０％の範囲内で含有してもよい。
【００６２】
このような構成により、玩具１は、石油化合物とは異なる特徴ある手触り感をユーザーに与えることができる。また、玩具１は、籾殻成分が有する自然な色彩を有することができる。
【００６３】
ピース２は、籾殻と、樹脂と、着色剤とを混合させ、攪拌した後に、射出成形により所望の形状に形成される。ピース２に用いられる樹脂は、バイオマスプラスチックなど廃材樹脂を再利用して用いられるものであってもよい。
【００６４】
ピース２は、インキ等により表面に印刷を施されてもよい。
【００６５】
図２は、第１実施形態におけるピース２の構成の一例を示す図である。図２（ａ）に例示されるピース２ａ（２）は、平面視扇形に構成される。ピース２ａ（２）は、角部が外側にＲ形状を有するよう構成されてもよい。このような構成により、玩具１は、穏やかで安心感を与える印象の外観を創出することができる。或いは、これとは異なり、角部が面取りされてもよい。
【００６６】
図２（ｂ）は、ピース２の側面図の一例である。ピース２ａ（２）は、角部が外側にＲ形状を有する。或いは、これとは異なり、ピース２ａ（２）は、すべての角部において面取りして構成されてもよい。
【００６７】
ピース２ａ（２）は、板状に構成され、中央部が平坦な面状に構成される。上述したように、ピース２ａ（２）は、籾殻成分を含有する。そのため、ユーザーがピース２ａ（２）の平坦面に触れる場合に、手触り感が合成樹脂製品とは異なる。
【００６８】
図３は、第１実施形態における玩具１を構成するピース２の構成の一例を示す図である。図３は、図２に示すＡ−Ａ線における断面図の一例を示す図である。ピース２ａ（２）は、複数の枠体４を係合させて構成される。
【００６９】
図３に示される例において、ピース２ａ（２）は、第１枠体４ａ（４）と第２枠体４ｂ（４）とを係合させて構成される。第１枠体４ａ（４）および第２枠体４ｂ（４）は、中空構造を有する。このような構成により、ピース２ａ（２）の軽量化を促進可能となる。
【００７０】
第１枠体４ａ（４）と第２枠体４ｂ（４）とは、端部において互いに係合可能な形状を備える。第１枠体４ａ（４）と第２枠体４ｂ（４）は、係合箇所において接着剤を使用して係合してもよい。
【００７１】
図３に示される例において、第１枠体４ａ（４）は、磁石１０を挟持可能な挟持部６を備える。一例として、挟持部６は、磁石１０に対応する形状に構成されてもよい。挟持部６は、第１枠体４ａ（４）に一体形成されてもよいし、第１枠体４ａ（４）に着脱自在に構成されてもよい。
【００７２】
挟持部６は、平面視第１枠体４ａ（４）の略中央部に配置されてもよい。このような構成により、磁場が形成される領域に偏頗が生じるのを抑制可能となる。磁石１０は、挟持部６に挟持される際に、接着剤により挟持部６に接着されてもよい。なお、磁石１０は、ネオジム磁石など公知の磁石を適宜用いることができる。
【００７３】
磁石１０が第１枠体４ａ（４）に配置されることにより、第１枠体４ａ（４）側に金属等を良好に吸着することができる。他方、第２枠体４ｂ（４）に磁石１０が配置されていない場合、第２枠体４ｂ（４）側には第１枠体４ａ（４）と同様の吸着力は生じない。このような構成により、玩具１は、ユーザーに磁力の強弱を学習する契機を与えることが可能となる。
【００７４】
図４は、図３に示したピース２ａ（２）の構成とは異なる構成のピース２ａ（２）の一例を示す図である。図４に例示されるピース２ａ（２）は、樹脂により略扇形に一体形成される。
【００７５】
図４に例示されるピース２ａ（２）は、平面部において磁石１０を収容可能な凹部７を備える。凹部７は、平面視マグネットの形状に対応する形状を有する。凹部７は、ピース２ａ（２）の平面部の略中央に配設されてもよい。このような構成により、ピース２ａ（２）において発生する磁界の偏頗を抑制可能となる。
【００７６】
凹部７に磁石１０が収容されると、挟持部６は、凹部７を閉塞させてもよい。挟持部６は、凹部７に対して着脱自在に構成されてもよいし、離脱困難に構成されてもよい。挟持部６は、凹部７に収容された状態の磁石１０を外側から挟持可能である。
【００７７】
図４に示される例において、挟持部６は、凹部７の開口の形状に対応する形状に構成される。このような構成により、挟持部６は、凹部７に対して良好に嵌合して、磁石１０を挟持可能となる。
【００７８】
図５は、第１実施形態における玩具１を構成するピース２の構成の一例を示す図である。図５に例示されるピース２ｂ（２）は、三角柱状に構成される。図示される例において、ピース２ｂ（２）の各辺および角部は、外側にＲ形状を有するよう構成される。このような構成により、各辺における突出が解消されるため、ユーザーのけがの発生を抑制可能となる。或いは、これとは異なり、ピース２ｂ（２）の各辺および角部は、面取りされてもよい。
【００７９】
平面視三角形の各角部においても、外側にＲ形状を有するよう構成される。このような構成により、角部を原因とするユーザーのけがの発生を抑制することができる。図５に示される例において、ピース２ｂ（２）は、中空構造を有してもよい。
【００８０】
ピース２ｂ（２）は、三角形状の面の中空側に、磁石１０を備えてもよい。このような構成により、ユーザーは、三角形状の面を他のピース２に当接させることにより、所望の構造物を作製することが可能となる。
【００８１】
ピース２ｂ（２）の各辺のサイズは、図２に示す扇形状のピース２ａ（２）の各辺のサイズに対応してもよい。一例として、ピース２ｂ（２）の各辺は、ピース２ａ（２）の各辺と略同じサイズに構成されてもよい。このような構成により、玩具１は、複数のピース２を組み合わせて所望の形状をユーザーに作製させることができる。
【００８２】
なお、図５に示される三角柱状のピース２ｂ（２）は、平面視略正三角形状に構成される場合を示したが、これに限られず、直角三角形、二等辺三角形など所望の三角形状に構成されてもよい。
【００８３】
図６は、第１実施形態における玩具１を構成するピース２の構成の一例を示す図である。図６（ａ）に示されるピース２ｃ（２）は、平面視矩形状を有し、板状に構成される。ピース２ｃ（２）は、平面視正方形状に構成されてもよいし、或いは、平面視長方形状や菱形など種々の矩形状に構成されてもよい。
【００８４】
図６（ｂ）に示されるように、ピース２ｃ（２）は、各辺が外側にＲ形状を有する。このような構成により、ユーザーのけがの発生を抑制することができる。ピース２ｃ（２）の各辺のサイズは、図２や図５に示されるピース２ａ（２）やピース２ｂ（２）の各辺に対応するサイズに構成されてもよい。
【００８５】
図６（ｃ）に示されるように、ピース２ｃ（２）は、所定厚さを備える板状に構成される。ピース２ｃ（２）は、側面視平板状に構成される部分と、面取りされて外側にＲ形状を有する部分とを備える。ピース２ｃ（２）は、平板状に構成される部分を有することにより、他のピース２の平板状の面と良好に当接することが可能となる。
【００８６】
図６に示されるピース２ｃ（２）は、中空構造を備える。ピース２ｃ（２）は、中空領域に磁石１０を備えてもよいし、備えなくともよい。
【００８７】
図７は、第１実施形態における玩具１を構成するピース２の構成の一例を示す図である。図７に例示されるピース２ｄ（２）は、立方体状に構成される。ピース２ｄ（２）は、図７（ａ）に示されるように、各辺が外側にＲ形状を有するよう面取りされる。
【００８８】
図７（ｂ）は、図７（ａ）のＢ−Ｂ断面図の一例である。図７（ｂ）に示されるように、ピース２ｄ（２）は、中空構造を有する。ピース２ｄ（２）は、第３枠体４ｃ（４）と第４枠体４ｄ（４）とを係合させて構成される。第３枠体４ｃ（４）および第４枠体４ｄ（４）は、各々中空構造を有する。このような構成により、ピース２ｄ（２）の軽量化を図ることが可能となる。
【００８９】
ピース２ｄ（２）は、中空領域内に磁石１０を備える。磁石１０は、立方体状のピース２ｄ（２）における各面に対応して配置されてもよい。このような構成により、ピース２ｄ（２）の各面に磁界を生じさせて金属等を吸着させることが可能となる。
【００９０】
磁石１０は、ピース２ｄ（２）の各面の略中央に配置されてもよい。このような構成により、ピース２ｄ（２）の各面に発生する磁界に偏頗が生じるのを抑制可能となる。
【００９１】
ピース２ｄ（２）において、隣り合う面同士に配置される磁石１０は、外方向の極が互いに異なるように配置されてもよい。一例として、ピース２ｄ（２）の一面において、外方向すなわち表面側に向けてＮ極が配置される場合、これに隣接する他の面において、外方向に向けてＳ極が配置される。このような構成により、ユーザーは、吸着し合う面と反発し合う面が有ることを学習することが可能となる。
【００９２】
また、このような構成により、複数のピース２ｄ（２）を組み合わせて構造物を作製する場合に、必ず各ピース２ｄ（２）における互いに吸着し合う面同士を向き合わせることが可能となる。例えば、４つのピース２ｄ（２）を縦横２列ずつに並べる場合、隣り合うピース２ｄ（２）同士は、必ず異なる極同士が対向し合う。そのため、複数のピース２ｄ（２）は、必ず互いに吸着し合う面同士を向き合わせることが可能なのである。
【００９３】
第３枠体４ｃ（４）および第４枠体４ｄ（４）は、各々磁石１０を挟持可能な挟持部６を備える。挟持部６は、第３枠体４ｃ（４）と第４枠体４ｄ（４）とが係合する場合に、磁石１０を挟持することができる。
【００９４】
挟持部６は、第３枠体４ｃ（４）および第４枠体４ｄ（４）が互いに係合する箇所に配置されてもよい。このような構成により、第３枠体４ｃ（４）および第４枠体４ｄ（４）が係合する際に、磁石１０を挟持してピース２ｄ（２）が構成される。また、このような構成により、挟持部６から離脱するのを抑制可能となる。
【００９５】
図８は、第１実施形態における玩具１を構成するピース２の構成の一例を示す図である。図８に例示されるように、第３枠体４ｃ（４）と第４枠体４ｄ（４）とは、互いに開放部を対向させて係合する。一例として、第３枠体４ｃ（４）は、第４枠体４ｄ（４）を被覆するように係合してもよい。
【００９６】
ピース２ｄ（２）を組み立てる際に、磁石１０を挟持部６に挟持させて配置する。図８に示される例において、挟持部６は、各面に対応して形成される。磁石１０が挟持部６に配置されると、第３枠体４ｃ（４）を、第４枠体４ｄ（４）内に配置される磁石１０に被せるように係合させる。
【００９７】
そうすると、第３枠体４ｃ（４）および第４枠体４ｄ（４）が係合する際に、第３枠体４ｃ（４）内に形成される挟持部６（図示せず）は、磁石１０に当接するとともに、第４枠体４ｄ（４）内に形成される挟持部６とともに磁石１０を挟持するのである。
【００９８】
図９は、第１実施形態における玩具１を構成するピース２の構成の一例を示す図である。図９（ａ）に例示されるピース２ｅ（２）は、歯車状に構成される部材である。ピース２ｅ（２）は、平面視中央部に貫通孔を有する。
【００９９】
後述するように、ピース２ｅ（２）は、貫通孔に軸を挿通させて平板状のピース２ｇ（２）に軸支することにより、回動可能となる。図９（ｂ）に例示されるピース２ｆ（２）は、ピース２ｅ（２）とはギヤ比が異なる歯車状に構成される部材である。ピース２ｅ（２）およびピース２ｆ（２）は、互いに歯車を噛み合わせることが可能に構成される。
【０１００】
図９（ａ）に戻り、ピース２ｅ（２）は、平面から隆起して構成される保持部１４を備える。保持部１４は、他のピース２を保持可能である。保持部１４は、ピース２ｅ（２）の平面上に、他のピース２を載置可能な領域を区切ることができる。このような構成により、複数のピース２同士が乱雑に混合されるのを抑制可能となる。
【０１０１】
保持部１４は、ピース２ｅ（２）の平面から隆起して構成される。さらに、保持部１４は、他のピース２の形状に応じて、ピース２ｅ（２）の平面上に配置されてもよい。このような構成により、ピース２ｅ（２）は、平面上に他のピース２を所定の場所に載置した状態で回動できる。
【０１０２】
図９（ｂ）に例示されるピース２ｆ（２）は、ピース２ｅ（２）とは歯数が相違する。そのため、ピース２ｅ（２）とピース２ｆ（２）は、互いにギヤ比が相違する。
【０１０３】
図１０は、第１実施形態における玩具１の構成の一例を示す図である。図１０に例示される玩具１は、平板状に構成されるピース２ｇ（２）に対し、ピース２ｅ（２）および２ｆ（２）を回動可能に係合させて構成される。
【０１０４】
ピース２ｅ（２）およびピース２ｆ（２）は、各々平面視中心部に形成される貫通孔に軸を挿通され、ボード状のピース２ｇ（２）に係止される。ピース２ｅ（２）およびピース２ｆ（２）は、歯先が互いに噛み合うように配置される。
【０１０５】
ピース２ｅ（２）およびピース２ｆ（２）の両方又はいずれか一方において、歯車を回動させるハンドルを取り付け可能に構成されてもよい。このような構成により、玩具１は、ユーザーに対して歯車の構造および運動の態様を分かり易く示すことが可能となる。
【０１０６】
上述したように、ピース２ｅ（２）およびピース２ｆ（２）は、互いに歯数が相違するため、ギヤ比が相違する。すなわち、歯車運動により、両者の回転数は相違する。なお、例えば、ピース２ｅ（２）の平面上に扇形状のピース２ａ（２）を配置した状態で、ピース２ｅ（２）およびピース２ｆ（２）を回転させた場合、ユーザーは、歯車運動によるピース２ａ（２）の移動態様を確認することができる。
【０１０７】
図１１は、図１０に示した場合とは異なる態様の玩具１の構成の一例を示す図である。図１１に示される例において、２つのボード状のピース２ｇ（２）は、互いの平面部が直交する態様で係合する。
【０１０８】
ボード状のピース２ｇ（２）に歯車状のピース２ｅ（２）およびピース２ｆ（２）が回動可能に係止されている状態で、ピース２ｇ（２）が直交する態様で係合すると、ピース２ｅ（２）とピース２ｆ（２）は、互いに略直角に噛み合う。
【０１０９】
ピース２ｅ（２）とピース２ｆ（２）とは、互いに相違する回転軸により回転運動を行う。ピース２ｅ（２）およびピース２ｆ（２）の歯先は、互いに当接し、一方の回転運動が他方に伝達される。そのため、ピース２ｅ（２）およびピース２ｆ（２）の回転軸の方向が相違する状態において、両者は連携して回転運動を行うことが可能となる。
【０１１０】
図１２は、図１１に示される玩具１のピース２ｇ（２）の構成の一例を示す図である。図１２（ａ）の斜視図に示されるように、ピース２ｇ（２）は、他のピース２ｇ（２）と係合可能な突出部１６を備える。
【０１１１】
突出部１６は、ピース２ｇ（２）の端部に形成され、外方に突出する部位である。複数のピース２ｇ（２）における突出部１６同士は、互いに当接し合うことにより係合可能である。
【０１１２】
図１２（ａ）における例では、突出部１６は、先端部に返し等の構造を有しない。すなわち、突出部１６同士を係合させる際に、互いに開放された端部から進入して当接し合うことが可能となる。
【０１１３】
図１２（ｂ）は、図１２（ａ）におけるＣ−Ｃ’断面図の一例を示す図である。突出部１６の側面は、平面部に対して略鉛直に構成されてもよい。一例として、突出部１６は、端部が面取りされることなく面一に構成されてもよい。
【０１１４】
このような構成により、ピース２ｇ（２）は、互いの突出部１６同士の当接面積を最大化することが可能となる。これにより、突出部１６同士の係合による摩擦力が高められ、複数のピース２ｇ（２）同士の係合状態が良好に維持される。
【０１１５】
なお、突出部１６は、正方形の断面を有してもよい。このような構成により、ピース２ｇ（２）は、互いに面一となるように係合するだけではなく、互いに直交するように係合することも可能となる。
【０１１６】
図１３は、第１実施形態における玩具１を構成するピース２の構成の一例を示す図である。ピース２ｅ（２）は、磁石１０を備えてもよい。
【０１１７】
ピース２ｅ（２）は、保持部１４により区切られる平面上の領域内に、各々磁石１０を備えてもよい。このような構成により、平面において保持部１４により区切られる領域内に他のピース２を載置する場合に、このピース２を当該領域内に良好に保持可能となる。
【０１１８】
ピース２ｅ（２）は、磁石１０を各領域に備えることにより、磁石１０を備える他のピース２と互いに吸着し合う。そのため、ピース２ｅ（２）の回転軸が水平方向になる場合、すなわち、ピース２ｅ（２）の平面部が鉛直方向にある場合に、ピース２を良好に保持可能となる。
【０１１９】
磁石１０は、保持部１４に区切られる領域内における略中央に配置されてもよい。このような構成により、当該領域内における磁界の偏頗を良好に抑制可能となる。
【０１２０】
挟持部６は、磁石１０が凹部７に収容された状態で、凹部７を閉塞する。このような構成により、挟持部６は、磁石１０を良好に挟持できる。このような構成により、ピース２ｅ（２）が回転運動を行う際に、磁石１０は安定的に保持される。
【０１２１】
（第２実施形態）
次に、本考案の第２実施形態を説明する。第２実施形態において、玩具セット５０は、玩具１と、玩具１を収容可能な収容ケース５２とを備える。
【０１２２】
図１４は、第２実施形態における玩具セット５０の構成の一例を示す図である。玩具セット５０は、ピース２を組み合わせて用いられる玩具１と、玩具１を収容可能な収容ケース５２とを備える。
【０１２３】
玩具セット５０は、ピース２の組み合わせに関するインストラクションをさらに備えてもよい。第２実施形態において、インストラクションとは、ピース２の使用方法、組み合わせ態様、その他、ピース２を使用する際にユーザーに与える示唆の一切を含む。
【０１２４】
玩具１を構成するピース２は、収容ケース５２内に収容可能である。収容ケース５２は、書籍を模した外観を有する。収容ケース５２は、紙・木材・金属など公知の素材により構成可能である。
【０１２５】
好ましくは、収容ケース５２は、紙を素材として構成される。このような構成により、収容ケース５２の軽量化を促進することができる。
【０１２６】
収容ケース５２は、ピース２を所定の配列に基づき収容する本体部５４と、本体部５４の上面を開閉可能に覆う蓋部５６とを備える。好ましくは、蓋部５６は、木材に化粧紙を被覆して構成される。このような構成により、収容ケース５２の強度が高まる。
【０１２７】
収容ケース５２は、本体部５４の一面を覆うとともに、蓋部５６に連続する背部７０をさらに備えてもよい。蓋部５６は、背部７０に連続し、連結部分を軸として回動可能に構成される。背部７０は、木材に化粧紙を被覆して構成されてもよい。
【０１２８】
本体部５４は、底部６０と、底部６０の端部近傍から四囲を囲んで立ち上がる周壁６２とをさらに備える。収容ケース５２は、本体部５４内にピース２を収容して、蓋部５６により本体部５４の上面を閉塞する。このような構成により、収容ケース５２は、玩具１を収容するのである。
【０１２９】
周壁６２は、ピース２を収容可能な高さに構成される。好ましくは、周壁６２の高さは、ピース２の長辺と略同じサイズに構成されてもよい。このような構成により、本体部５４は、ピース２を良好に収容可能となる。
【０１３０】
あるいは、これとは異なり、周壁６２の高さは、ピース２の短辺と略同じサイズに構成されてもよい。このような構成により、周壁６２の高さを抑制でき、収容ケース５２の厚みを薄くすることができる。
【０１３１】
図１５は、第２実施形態において玩具セット５０を構成する収容ケース５２の構成の一例を示す図である。本体部５４は、玩具１を構成するピース２の配置位置を示唆する指標７５をさらに備えてもよい。
【０１３２】
第２実施形態において、指標７５は、対応する形状・色彩のピース２の収容される配置位置をユーザーに対して示唆する標識を指す。指標７５は、所定の色彩による表示であってもよいし、文字・記号等であってもよい。指標７５には、ピース２の配置位置をユーザーに対して示唆することが可能な表示が含まれる。
【０１３３】
図１５に示される例において、指標７５は、底部６０に表示される。本体部５４におけるピース２を収容する領域に面して、底部６０にピース２の形状に対応する指標７５が表示される。
【０１３４】
一例として、底部６０にピース２の平面視形状に対応する形状の指標７５を配置してもよい。好ましくは、指標７５は、ピース２の色彩に対応する色彩で表示されてもよい。このような構成により、指標７５は、ユーザーがピース２を片付ける際に、その収容位置を良好に示唆することが可能となる。
【０１３５】
図１６は、第２実施形態において玩具セット５０を構成する収容ケース５２の構成の一例を示す図である。図１６に示される例において、指標７５は、周壁６２の内周に表示される。
【０１３６】
指標７５は、周壁６２の内周に、ピース２の平面視形状に対応する形状にて表示されてもよい。このように、周壁６２の内周に表示されることにより、指標７５は、ピース２の側面が底部６０に当接するようにピース２を本体部５４に収容することができる。これにより、収容ケース５２は、ピース２の平面が周壁６２に平行になるように収容可能となる。
【０１３７】
蓋部５６は、本体部５４に係止可能な係止部７８を備えてもよい。蓋部５６は、本体部５４の開口の閉塞時に本体部５４と当接する位置において、係止部７８を備えてもよい。このような構成により、蓋部５６により本体部５４を閉塞した状態を良好に保持可能となる。
【０１３８】
図１６に示される例において、係止部７８は、蓋部５６の端部近傍に配置される。蓋部５６は、本体部５４を閉塞する際に、端部又はその近傍が周壁６２の上端に当接する。そこで、係止部７８は、周壁６２に当接する位置に配置される。
【０１３９】
係止部７８は、磁石により構成されてもよい。係止部７８に用いられる磁石として、ネオジム磁石その他公知の磁石が適用可能である。本体部５４は、蓋部５６における係止部７８と当接する位置に、係止部７８を配置してもよい。
【０１４０】
図１６に示される例において、係止部７８は、蓋部５６と当接する周壁６２の上端に配置される。係止部７８が磁石により構成される場合、蓋部５６の係止部７８と本体部５４の係止部７８とにより、収容ケース５２の開閉を効率的に行うことが可能となる。
【０１４１】
図１６に示される周壁６２に配置される係止部７８は、磁石に吸着可能な金属により構成されてもよい。或いは、蓋部５６に配置される係止部７８は、磁石に吸着可能な金属により構成されてもよい。
【０１４２】
（変形例）
上記第１実施形態および第２実施形態において、本考案が適用される玩具１および玩具セット５０の一例を説明した。しかしながら、本考案は、上記各実施形態に限定されるものではなく、種々の変形例が適用可能である。
【０１４３】
上記第１実施形態において、ピース２に籾殻が含有される場合を示したが、本考案はこれに限られず、おがくずその他の有機廃棄物を含有してもよい。
【０１４４】
上記第１実施形態において、ピース２が外側にＲ形状を有する場合を説明したが、本考案はこれに限られず、斜面状に面取りされてもよい。
【０１４５】
上記第２実施形態において、玩具セット５０を構成する収容ケース５２が書籍の形状を模して構成される場合を説明したが、本考案はこれに限られず、箱状に構成されてもよい。
【０１４６】
上記第２実施形態において、係止部７８が磁石により構成される場合を説明したが、本考案はこれに限られず、フック状に構成されてもよいし、掛け留め可能な部材により構成されてもよい。
【０１４７】
上記第２実施形態において、収容ケース５２が書籍の形状を備える場合を説明したが、本考案はこれに限られず、バッグの形状を備えてもよいし、スーツケースやキャリーケースの形状を備えてもよい。収容ケース５２は、玩具１を収容可能な構造を備える形状に適宜設計可能であってもよい。
【符号の説明】
【０１４８】
１    玩具
２    ピース
２ａ  ピース
２ｂ  ピース
２ｃ  ピース
２ｄ  ピース
２ｅ  ピース
２ｆ  ピース
２ｇ  ピース
４ａ  第１枠体（枠体）
４ｂ  第２枠体（枠体）
４ｃ  第３枠体（枠体）
４ｄ  第４枠体（枠体）
６    挟持部
１０  磁石
１４  保持部
１６  突出部
５０  玩具セット
５２  収容ケース
５４  本体部
５６  蓋部
６０  底部
６２  周壁
７５  指標
７８  係止部
【図１】
0003235390.tif 000003
【図２】
0003235390.tif 000004
【図３】
0003235390.tif 000005
【図４】
0003235390.tif 000006
【図５】
0003235390.tif 000007
【図６】
0003235390.tif 000008
【図７】
0003235390.tif 000009
【図８】
0003235390.tif 000010
【図９】
0003235390.tif 000011
【図１０】
0003235390.tif 000012
【図１１】
0003235390.tif 000013
【図１２】
0003235390.tif 000014
【図１３】
0003235390.tif 000015
【図１４】
0003235390.tif 000016
【図１５】
0003235390.tif 000017
【図１６】
0003235390.tif 000018